(57)【要約】【課題】中央制御室内の照明装置の配置を工夫することで、運転員が大型表示盤の監視作業をするときの監視性の向上と集中力を高めると共に、運転員のストレスを緩和する。【解決手段】運転監視補助盤４と中央運転監視盤５とオペレータ机６とを配置した中央制御室１において、運転監視補助盤４、中央運転監視盤５あるいはオペレータ机６の制御機器の表示画面に向かった運転員の注視方向に沿うように照射する直接照明の照明器具１４を、天井１３に直線的に複数配置し、運転員が作業する中央運転監視盤５、オペレータ机６及び当直長机９と当直副長机９等の作業する領域の上方になる天井領域１５に、下方への段差を設けて天井懐部１６を形成し、天井懐部１６の周縁を照射するように、天井懐部１６内に間接照明の照明器具１７を配置した。【選択図】図２
2008117718.tif 000002
【特許請求の範囲】
【請求項１】
制御室の奥側から室内側に向けて略湾曲して配列した大型表示盤から成る運転監視補助盤（４）と、その手前側に机を配置した中央運転監視盤（５）と、該中央運転監視盤（５）を臨むように配置したオペレータ机（６）と、該オペレータ机（６）の後方に当直長机（９）と当直副長机（９）とを隣接して配置した発電所における中央制御室（１）において、
前記運転監視補助盤（４）、中央運転監視盤（５）あるいはオペレータ机（６）等の制御機器の表示画面に向かった運転員の注視方向に沿うように照射する直接照明の照明器具（１４）を、天井（１３）に直線的に複数配置し、
前記運転員が作業する前記中央運転監視盤（５）、オペレータ机（６）及び当直長机（９）と当直副長机（９）等の作業する領域の上方になる天井領域（１５）に、下方への段差を設けて天井懐部（１６）を形成し、該天井懐部（１６）の周縁を照射するように、該天井懐部（１６）内に間接照明の照明器具（１７）を配置した、ことを特徴とする発電所における中央制御室。
【請求項２】
前記直接照明の照明器具（１４）はダウンライトである、ことを特徴とする請求項１の発電所における中央制御室。
【請求項３】
前記運転監視補助盤（４）の両端からそれぞれ連続して拡開するように配置した内壁（１２）の上部に、前記中央制御室（１）内を照射する間接照明の照明器具（１７）を更に配置した、ことを特徴とする請求項１の発電所における中央制御室。
【発明の詳細な説明】
【技術分野】
【０００１】
本発明は、発電所内の機器の運転と監視を行う中央制御室に係り、特に原子力発電所のような屋外への窓が設けられていない中央制御室を照明する照明装置を装備した発電所における中央制御室に関するものである。
【背景技術】
【０００２】
発電所、例えば原子力発電所には中央制御室が設置されている。この中央制御室は原子力発電所を安全に運転するために制御する施設である。この原子力発電所における中央制御室は、原子炉、タービン、発電機の運転、監視を行い、核分裂から発電までのすべてを制御する制御室である。更に放射線の監視もここで集中管理している。原子力発電所は通常は自動運転であるが、この中央制御室は運転員が１日２４時間の３交替制で作業する場所である。例えば、中央制御室内には原子力発電所内の出力等を制御、監視するために常時運転員が配備されている。この運転員は中央制御盤の計測、計算データをもとにオペレータ机で各種機器の制御、監視を行っている。
【０００３】
この中央制御室内の作業は、多数の液晶画面、例えばフラットディスプレイ（ＦＤ）を用いた監視業務が多い。多数のＦＤを用いたＶＤＴ（Ｖｉｓｕａｌ  Ｄｉｓｐｌａｙ  Ｔｅｒｍｉｎａｌｓ）作業、すなわちパソコンのモニターなどの表示画面の注視作業が中心となる。そこで、従来から中央制御室の照明は、人間工学的な設計を実施しており、適切な監視・操作を行うことを重点においた緊張感のある空間を形成するようになっている。例えば、室内照明は、運転操作監視に必要な照度確保を目的に白色ルーバによる光天井方式を採用している。
【０００４】
一方、原子力発電所の中央制御室は、原子炉圧力容器内で発生する可能性のある冷却材喪失事故時に屋外に放出される放射線による運転員の被曝を防止するために、屋外への窓が設けられていない。そこで、中央制御室は、運転員にとって閉鎖的な空間となっている。
【０００５】
これまでも発電所の制御室等のような外界から光の入射が遮断された施設内を照明する技術が提案されている。例えば、特許文献１の「照明装置および照明方法、並びにその部屋」では、室内の照明を行う照明灯を有し、照明灯の照度を太陽光の光量に対応するようにした照明装置において、照明灯は、日の出時から日没時までの太陽光の光量または方向に対応した第１の照明灯と、日没時から日の出時までの太陽光の光量または方向に対応した異色系の第２の照明灯とからなり、太陽光の光量の変化の推移を測定する光センサを設け、日の出時から日没時までの太陽光の光量または方向の変化の推移によって第１の照明灯の照度を制御し、かつ日没時から日の出時までの太陽光の光量または方向の変化の推移によって第２の照明灯の照度を制御し、以って色温度、照射方向または照度のうち少なくとも一つが継時変化をする照明装置が提案されている。
【特許文献１】特開２００１−２５７０８３号公報
【発明の開示】
【発明が解決しようとする課題】
【０００６】
しかし、特許文献１の「照明装置および照明方法、並びにその部屋」は、コンピュータなどの制御装置、タイマーを使わずに屋内の照明を昼および夜の雰囲気照明とすることができ、無窓の監視制御室のような太陽光が入射しない場所で働く人達が一日を通じて昼、夜をより自然に近い状態で感じることができ、生体リズムを維持しながら作業、業務をすることのできるに止まるものであった。
【０００７】
発電所の中央制御室におけるＶＤＴ作業による健康トラブルは、眼精疲労、肩こり、腰痛、腕や手首の痛みなどの症状を誘引しやすいという問題を有していた。そこで、ＦＤへの照明の映り込みにより、運転員の視覚疲労が増長されていた。
【０００８】
一方、運転員にとって閉鎖的な空間となっている中央制御室では、長時間の運転、監視作業による視覚疲労等に基づくストレスが生じやすかった。そこで、そのストレスの緩和策を施した居住空間を考慮する必要があった。
【０００９】
本発明は、かかる問題点を解決するために創案されたものである。すなわち、本発明の目的は、中央制御室内の照明装置の配置を工夫することで、運転員が大型表示盤の監視作業をするときの監視性の向上と集中力を高めると共に、運転員のストレスを緩和することができる発電所における中央制御室を提供することにある。
【課題を解決するための手段】
【００１０】
本発明によれば、制御室の奥側から室内側に向けて略湾曲して配列した大型表示盤から成る運転監視補助盤（４）と、その手前側に机を配置した中央運転監視盤（５）と、該中央運転監視盤（５）を臨むように配置したオペレータ机（６）と、該オペレータ机（６）の後方に当直長机（９）と当直副長机（９）とを隣接して配置した発電所における中央制御室（１）において、前記運転監視補助盤（４）、中央運転監視盤（５）あるいはオペレータ机（６）等の制御機器の表示画面に向かった運転員の注視方向に沿うように照射する直接照明の照明器具（１４）を、天井（１３）に直線的に複数配置し、前記運転員が作業する前記中央運転監視盤（５）、オペレータ机（６）及び当直長机（９）と当直副長机（９）等の作業する領域の上方になる天井領域（１５）に、下方への段差を設けて天井懐部（１６）を形成し、該天井懐部（１６）の周縁を照射するように、該天井懐部（１６）内に間接照明の照明器具（１７）を配置した、ことを特徴とする発電所における中央制御室が提供される。
【００１１】
前記直接照明の照明器具（１４）はダウンライトであることが好ましい。
前記運転監視補助盤（４）の両端からそれぞれ連続して拡開するように配置した内壁（１２）の上部に、前記中央制御室（１）内を照射する間接照明の照明器具（１７）を更に配置することが好ましい。
【発明の効果】
【００１２】
上記構成の本発明では、運転監視補助盤（４）と中央運転監視盤（５）等の制御機器に向かった運転員の注視方向に沿うように、複数の直接照明の照明器具（１４）を天井（１３）に直線的に配置することにより、運転監視補助盤（４）と中央運転監視盤（５）へ向かう運転員の監視性、集中力を高めることができる。特に、直接照明の照明器具（１４）が制御機器の表示画面等への光の映り込みなどＶＤＴ作業時のグレアを解消して、反射グレアによる見落としや見誤りなどの作業ミスを回避することができる。そこで、作業中の運転員の緊張感を確保することができる。
更に、制御室の内壁（１２）の上部に間接照明の照明器具（１７）を配置することにより、中央制御室（１）内の空間にふくらみをもたせ、直接照明との併用により、反射グレアはもとより不快感や眼の疲労を低減し、中央制御室（１）内の安らぎ感を演出することができる。
【発明を実施するための最良の形態】
【００１３】
本発明の発電所における中央制御室は、大型表示盤から成る運転監視補助盤と、中央運転監視盤等とを配置した中央制御室において、直接照明と間接照明の照明器具とを組み合わせて配置し、緊張感と共に安らぎ感を醸成することができる空間になっている。
【実施例１】
【００１４】
以下、本発明の好ましい実施の形態を図面を参照して説明する。
図１は実施例１の発電所における中央制御室の機器の配置状態を示す平面図である。
中央制御室１は原子炉等の建屋に隣接して設置される。中央制御室１の一側（図１では紙面下方位置）には原子力発電所を訪れた見学者の見学者ギャラリ室２を設けている。この見学者ギャラリ室２の窓３から見学者は中央制御室１内を見学できるようになっている。
【００１５】
この中央制御室１内には、その奥側から室内側に向けて略湾曲して大型表示盤から成る運転監視補助盤４が配列されている（図１では紙面上方位置）。この運転監視補助盤４は、原子力発電所の回路図と共に複数の機器に関する計器を表示した大型表示盤である。
【００１６】
この運転監視補助盤４の手前に、机を湾曲状に配列した中央運転監視盤５を配置した。中央運転監視盤５は、原子力発電所の多数の機器、即ち原子炉、タービン、発電機の運転と監視状態を表示する制御機器の表示画面が並べられたものである。
【００１７】
この中央運転監視盤５の手前に、この中央運転監視盤５を臨むようにオペレータ机６が配置され、このオペレータ机６にも制御機器が設けられている。このオペレータ机６にはその左右に隣接するように、補助設備制御装置７やＩＴＶ操作卓８が配置されている。このオペレータ机６の後方に、当日の運転監視する運転員が着席する当直長机９と当直副長机９とを隣接して配置した。この中央制御室１内には、打合せコーナー１０を設けることができる（図１では紙面下方左位置）。
【００１８】
この中央制御室１には、発電所施設の建屋内を区画するコンクリート壁１１とは別に内壁１２を設けている。この内壁１２は、大型表示盤の運転監視補助盤４の両端から連続して、作業中の運転員の後方側が広くなる略台形状に形成した壁面である。即ち両内壁１２は運転監視補助盤４と中央運転監視盤５を中心とする監視業務エリアに運転員の居住性を考慮し、略左右対称形であって前方が徐々に狭まるような形状になっている。
【００１９】
図２は実施例１の発電所における中央制御室の照明器具の配置を見上げた状態を示す天井伏図である。図３は実施例１の発電所における中央制御室を当直長机と当直副長机から最奥の運転監視補助盤を臨む状態の斜視図である。
このように構成した中央制御室１において、運転監視補助盤４、中央運転監視盤５とオペレータ机６に向かった運転員の注視方向に沿うように照射する直接照明の照明器具１４を、天井１３に複数配置した。この直接照明の照明器具１４は例えばダウンライトのような照明器具である。この領域における直接照明の照明器具１４の必要照度は３００〜７００ルクス（ｌｘ）が良い。即ち、中央制御室１内において、原子炉、タービン、発電機等の運転員が運転と監視を行う計器類と制御機器の表示画面を注視する領域に直接照明の照明器具１４を配置してある。
なお、この直接照明の照明器具１４の配置形状については、直線的に等間隔に配置するものであれば図示例の形状に限定されない。また照明器具１４はダウンライトに限定されないことは勿論である。
【００２０】
この直接照明の照明器具１４により、運転監視補助盤４と中央運転監視盤５へ向かう運転員の監視性、集中力を高めることができる。特に、直接照明の照明器具１４が制御機器の表示画面等への光の映り込みなどＶＤＴ作業時のグレアを解消して、運転員による反射グレアによる見落としや見誤りなどの作業ミスを回避することができる。そこで、作業中の運転員の緊張感を確保することができる。
【００２１】
図４は実施例１の発電所における中央制御室の横断面図である。図５は実施例１の発電所における中央制御室を見学者ギャラリ室の窓から見た状態の斜視図である。
運転員が作業する中央運転監視盤５、オペレータ机６及び当直長机９と当直副長机９等の作業する領域の上方になる天井領域１５に、下方への段差からなる天井懐部１６を形成し、この天井懐部１６に間接照明の照明器具１７を配置した。この間接照明の照明器具１７の照射方向は、天井懐部１６の周縁を照射するようにして、制御機器の表示画面等への光の映り込みなどＶＤＴ作業時のグレアを解消している。
なお、この天井懐部１６の形状については、制御機器に直接照射しない形状であれば図示例の略六角形状に限定されない。
【００２２】
更に、運転監視補助盤４の両端からそれぞれ連続して拡開するように配置した内壁１２の上部に、中央制御室１内を照射する間接照明の照明器具１７を更に配置した。これらの間接照明により、中央制御室１内の空間にふくらみをもたせ、直接照明と併用で反射グレアは元より不快感や眼の疲労を低減し、中央制御室１内の安らぎ感の演出するようになっている。
【００２３】
また、運転員の常駐エリアの天井部の照明には、落着いた雰囲気を醸成するシンプルなダウンライトを選定し、かつＦＤへの照明映り込みを考慮した照明配置する。これにより、ＦＤへの映り込み防止、安らぎ感を演出することができる。
【００２４】
なお、本発明は、中央制御室１内の照明装置の配置を工夫することで、運転員が大型表示盤４等の監視作業をするときの監視性の向上と集中力を高めると共に、運転員のストレスを緩和するものであれば、上述した発明の実施の形態に限定されず、本発明の要旨を逸脱しない範囲で種々変更できることは勿論である。
【産業上の利用可能性】
【００２５】
本発明の発電所における中央制御室の構成、着眼は、原子力発電所以外のプラントの制御室や交通機関の制御室、多数の計器を緊張感の基で運転、監視する場所に転用、応用して利用することができる。
【図面の簡単な説明】
【００２６】
【図１】実施例１の発電所における中央制御室の機器の配置状態を示す平面図である。
【図２】実施例１の発電所における中央制御室の照明器具の配置を見上げた状態を示す天井伏図である。
【図３】実施例１の発電所における中央制御室を当直長机と当直副長机から最奥の運転監視補助盤を臨む状態の斜視図である。
【図４】実施例１の発電所における中央制御室の横断面図である。
【図５】実施例１の発電所における中央制御室を見学者ギャラリ室の窓から見た状態の斜視図である。
【符号の説明】
【００２７】
１  中央制御室
４  運転監視補助盤
５  中央運転監視盤
６  オペレータ机
９  当直長机（当直副長机）
１２  内壁
１３  天井
１４  直接照明の照明器具
１５  天井領域
１６  天井懐部
１７  間接照明の照明器具
【図１】
2008117718.tif 000003
【図２】
2008117718.tif 000004
【図３】
2008117718.tif 000005
【図４】
2008117718.tif 000006
【図５】
2008117718.tif 000007